(57)【要約】【課題】笠木が上端に設けられる立ち上がり部において、壁厚が増した場合でも、市販品の笠木をそのまま対応できてコストを抑えながら、壁厚が増した分に対応した水切を設けて、笠木との外観上の一体感が得られる水切構造を提供する。【解決手段】立ち上がり部３の上端において、笠木４と、その笠木４よりも外側に突出する水切６とが設けられており、笠木４は、上面部４１と、その上面部４１から下方に垂設され、かつ、笠木４の外側に位置する外側片４３と、を有し、水切６は、笠木４の外側片４３よりも内側に位置し、立ち上がり部３の上端に固定された固定部６ａと、その固定部６ａの下端から外側片４３よりも外側に張り出して形成された外側突出部６ｂと、を有する。【選択図】図５
2020190116.tif 000002
【特許請求の範囲】
【請求項１】
立ち上がり部の上端において、笠木と、前記笠木よりも外側に突出する水切とが設けられており、
前記笠木は、上面部と、前記上面部から下方に垂設され、かつ、前記笠木の外側に位置する外側片と、を有し、
前記水切は、前記笠木の前記外側片よりも内側に位置し、前記立ち上がり部の上端に固定された固定部と、前記固定部の下端から前記外側片よりも外側に張り出して形成された外側突出部と、を有することを特徴とする笠木の水切構造。
【請求項２】
請求項１に記載の笠木の水切構造において、
前記立ち上がり部の上端は、断面視において段状に形成されて、上方に位置する第一段部と、前記第一段部よりも外側下方に位置する第二段部と、を有しており、
前記笠木は、前記第一段部に固定され、
前記水切は、前記外側突出部から下方に延出して形成されて前記第二段部に固定された下方延出部を更に有することを特徴とする笠木の水切構造。
【請求項３】
請求項１又は２に記載の笠木の水切構造において、
前記水切は、前記固定部から外側に張り出して上方に延出して形成され、前記笠木外側片の内側に位置する上方延出部を有していることを特徴とする笠木の水切構造。
【請求項４】
請求項２又は３に記載の笠木の水切構造において、
前記水切の前記外側突出部における前記下方延出部より外側の下面と、前記立ち上がり部の外側に固定された外装材の上端面との間にシーリング材が配置されていることを特徴とする笠木の水切構造。
【請求項５】
請求項１から４のいずれか一項に記載の笠木の水切構造において、
前記水切は、複数の水切本体と、前記複数の水切本体における互いに隙間を空けて対向する端部同士を接続する接続板と、前記隙間の上に配置されて当該隙間を覆うカバー板と、を含んで構成されていることを特徴とする笠木の水切構造。
【請求項６】
請求項５に記載の笠木の水切構造において、
前記複数の水切本体における互いに隙間を空けて対向する端部に、当該端部から各々下方に突出する下方突出片が形成されており、
前記下方突出片の下方に前記接続板が位置し、当該接続板の上面と、前記下方突出片との間にシーリング材が配置されていることを特徴とする笠木の水切構造。
【発明の詳細な説明】
【技術分野】
【０００１】
本発明は、笠木の水切構造に関する。
【背景技術】
【０００２】
建物において、陸屋根やバルコニーの外周部に立設されたパラペット等の立ち上がり部の上端には笠木が設けられる（例えば特許文献１参照）。
【先行技術文献】
【特許文献】
【０００３】
【特許文献１】特開２０１６−１３０４５１号公報
【発明の概要】
【発明が解決しようとする課題】
【０００４】
ところで、笠木が上端に設けられる立ち上がり部において、例えば外断熱によって壁厚を増すと、笠木が市販品なので、そのままでは対応できず、また、壁厚が増した分、笠木を設計変更すると、コストが嵩む。
【０００５】
本発明の課題は、笠木が上端に設けられる立ち上がり部において、壁厚が増した場合でも、市販品の笠木をそのまま対応できてコストを抑えながら、壁厚が増した分に対応した水切を設けて、笠木との外観上の一体感が得られる水切構造を提供することである。
【課題を解決するための手段】
【０００６】
以上の課題を解決するため、請求項１に記載の発明は、例えば図１、図５に示すように、
立ち上がり部３の上端において、笠木４と、前記笠木４よりも外側に突出する水切６とが設けられており、
前記笠木４は、上面部４１と、前記上面部４１から下方に垂設され、かつ、前記笠木４の外側に位置する外側片４３と、を有し、
前記水切６は、前記笠木４の前記外側片４３よりも内側に位置し、前記立ち上がり部３の上端に固定された固定部６ａと、前記固定部６ａの下端から前記外側片４３よりも外側に張り出して形成された外側突出部６ｂと、を有することを特徴とする。
【０００７】
請求項１に記載の発明によれば、立ち上がり部３上端の笠木４よりも外側に突出する水切６で、笠木４の外側片４３よりも内側に位置し、立ち上がり部３上端に固定された固定部６ａの下端から外側片４３よりも外側に張り出して形成された外側突出部６ｂを有しているので、立ち上がり部３の壁厚が増した場合でも、市販品の笠木４をそのまま対応できてコストを抑えながら、壁厚が増した分に対応した水切６を設けて、笠木４との外観上の一体感が得られる。
そして、笠木４の上面部４１に落ちた水が外側片４３から下方に流れて、その水を、水切６の外側突出部６ａによって受けることができるので、笠木４から水切６まで連続性のある構造とすることができ、水切構造として効果的に機能する。
【０００８】
請求項２に記載の発明は、
請求項１に記載の笠木の水切構造において、例えば図１、図５に示すように、
前記立ち上がり部３の上端は、断面視において段状に形成されて、上方に位置する第一段部３３と、前記第一段部３３よりも外側下方に位置する第二段部３５と、を有しており、
前記笠木４は、前記第一段部３３に固定され、
前記水切６は、前記外側突出部６ａから下方に延出して形成されて前記第二段部３５に固定された下方延出部６ｃを更に有することを特徴とする。
【０００９】
請求項２に記載の発明によれば、立ち上がり部３上端の上方に位置する第一段部３３に笠木４を固定して、立ち上がり部３上端の第一段部３３よりも外側下方に位置する第二段部３５に、水切６の外側突出部６ａから下方に延出して形成された下方延出部６ｃを固定することができる。
【００１０】
請求項３に記載の発明は、
請求項１又は２に記載の笠木の水切構造において、例えば図１、図５に示すように、
前記水切６は、前記固定部６ａから外側に張り出して上方に延出して形成され、前記笠木外側片４３の内側に位置する上方延出部６ｄを有していることを特徴とする。
【００１１】
請求項３に記載の発明によれば、水切６の固定部６ａから外側に張り出して上方に延出して形成された上方延出部６ｄが、笠木外側片４３の内側に位置しているので、笠木４内の換気を確保しつつ、笠木４の外側片４３から内側に入る水の浸入を、水切６の上方延出部６ｄにより防止することができる。
【００１２】
請求項４に記載の発明は、
請求項２又は３に記載の笠木の水切構造において、例えば図１、図５に示すように、
前記水切６の前記外側突出部６ｂにおける前記下方延出部６ｃより外側の下面と、前記立ち上がり部３の外側に固定された外装材８の上端面との間にシーリング材６５・８１が配置されていることを特徴とする。
【００１３】
請求項４に記載の発明によれば、水切６の外側突出部６ｂにおける下方延出部６ｃより外側の下面と、立ち上がり部３の外側に固定された外装材８の上端面との間に配置されたシーリング材６５・８１によって、水切６下で外装材８の内方への水の浸入を防止できる。
【００１４】
請求項５に記載の発明は、例えば図５、図８〜図１２に示すように、
請求項１から４のいずれか一項に記載の笠木の水切構造において、
前記水切６は、複数の水切本体６１と、前記複数の水切本体６１における互いに隙間を空けて対向する端部同士を接続する接続板６２と、前記隙間の上に配置されて当該隙間を覆うカバー板６３と、を含んで構成されていることを特徴とする。
【００１５】
請求項５に記載の発明によれば、水切６は、水切本体６１を互いに隙間を空けて対向する端部に各々挿入される接続板６２を介して接続することができ、さらに、接続された水切本体６１間の接続隙間を、その上に配置されたカバー板６３により覆うことができる。
【００１６】
請求項６に記載の発明は、
請求項５に記載の笠木の水切構造において、例えば図５、図８〜図１３に示すように、
前記複数の水切本体６１における互いに隙間を空けて対向する端部に、当該端部から各々下方に突出する下方突出片６１ｈが形成されており、
前記下方突出片６１ｈの下方に前記接続板６２が位置し、当該接続板６２の上面と、前記下方突出片６１ｈとの間にシーリング材６６・６７が配置されていることを特徴とする。
【００１７】
請求項６に記載の発明によれば、水切６の隙間を開けて対向する水切本体６１端部から各々下方に突出してそれぞれ形成された下方突出片６１ｈと、接続板６２の下方突出片６１ｈが位置する上面との間に配置されたシーリング材６６・６７によって、水切本体６１間の接続部における水の浸入を防止することができる。
【発明の効果】
【００１８】
本発明によれば、笠木が上端に設けられる立ち上がり部において、壁厚が増した場合でも、市販品の笠木をそのまま対応できてコストを抑えながら、壁厚が増した分に対応した水切を設けて、笠木との外観上の一体感が得られる水切構造を提供することができる。
【図面の簡単な説明】
【００１９】
【図１】本発明に係る笠木の水切構造を適用した立ち上がり部を含むバルコニー部分の概略縦断面図である。
【図２】図１のバルコニー部分の壁パネルを横断面で示して笠木の水切を示した概略平面図である。
【図３】図２の矢印Ａで示した出隅部の拡大図である。
【図４】図２の矢印Ｂで示した入隅部の拡大図である。
【図５】図１の笠木及び水切周りの拡大図である。
【図６】図５の笠木通気部品を拡大して示す正面側斜視図である。
【図７】図６と反対の背面側斜視図である。
【図８】図５の水切における本体を示す正面図（ａ）、側面図（ｂ）、及び反対側の側面図（ｃ）である。
【図９】図５の水切における接続板を示す正面図（ａ）及び側面図（ｂ）である。
【図１０】図５の水切における接続部のカバー板を示す正面図（ａ）及び側面図（ｂ）である。
【図１１】図２の水切における本体接続の仕方を示す斜視図で、片方の水切本体端部に接続板を差し込んだ状態の図（ａ）、両方の水切本体に接続板を差し込んだ状態の図（ｂ）、水切本体の接続隙間にシーリング材を充填する状態の図（ｃ）、及び接続隙間の上にカバー板を装着した状態の図（ｄ）である。
【図１２】図１１（ａ）〜（ｄ）にそれぞれ対応する正面図（ａ）〜（ｄ）である。
【図１３】水切本体間に形成される接続隙間及びシーリング材配置部を拡大した縦断面図である。
【図１４】水切の立ち上がり部外側面に対する固定の仕方を示す分解図である。
【発明を実施するための形態】
【００２０】
以下、図面を参照して本発明の実施の形態について説明する。
（実施形態）
なお、本実施の形態の建物は、壁や床、屋根といった建物の構成要素を予め工場にてパネル化しておき、施工現場でこれらの建築用パネルを組み立てて構築するパネル工法で構築されるものである。また、その他、壁式工法の木造、鉄骨造、鉄筋コンクリート造等の建物にも適用することができる。
ここで、建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。
また、建物を構成する材同士の連結や固定は、ビスやボルト・ナット、接着剤等が適宜使用される。
【００２１】
先ず、図１は本発明に係る笠木の水切構造を適用した立ち上がり部を含むバルコニー部分の概略縦断面を示し、図２は図１のバルコニー部分の壁パネルを横断面で示して笠木の水切を概略平面で示したもので、図示のように、建物１はバルコニー２を備え、このバルコニー２は外周部に立ち上がり部３を備えており、この立ち上がり部３の上端には、笠木４と、その内側の笠木通気部品５と、笠木４の外側に突出する水切６が設置されている。
【００２２】
建物１は、１階に設置された壁パネル１１の上に、角材による調整材１２を介して床パネル１５が支持されている。すなわち、框材１１ａの両側に面材１１ｂが貼り付けられた壁パネル１１の上端の框材１１ａ上に固定された調整材１２の上に、床パネル１５の框材１５ａが固定されている。床パネル１５の框材１５ａの上面には面材１５ｂが貼り付けられている。
また、框材１１ａの両側に面材１１ｂが貼り付けられた壁パネル１１の外側に外張断熱パネル１３が設置されている。
外張断熱パネル１３は、例えばフェノールフォームにより形成した断熱材１３ａを合板１３ｂの内側面に貼り付けたもので、壁パネル１１より厚みが薄く形成されている。この外張断熱パネル１３は、断熱材１３ａを壁パネル１１の外側に位置する面材１１ｂの外側面に重ねて、特殊ビスを、合板１３ｂの外側から壁パネル１１の面材１１ｂを通して框材１１ａ及び桟材に打ち込むとともに、調整材１２に打ち込んで固定されている。
外張断熱パネル１３の外側には、胴縁ピースを介して外装材１４が固定されている。
【００２３】
床パネル１５の上には、１階の壁パネル１１上に位置させて、２階の胴差１６及び壁パネル１１が框材１５ａに固定されている。２階の壁パネル１１の外側に、断熱材１７ａを合板１７ｂの内側面に貼り付けた外張断熱パネル１７が前記特殊ビス止めにより固定されている。
外張断熱パネル１７の上には、角材による調整材１８を介してサッシ枠１９が支持されており、調整材１８は胴差１６と壁パネル１１の框材１１ａ及び桟材に固定されている。
【００２４】
床パネル１５は、外張断熱パネル１３・１７よりも外側に大きく突出して、その外側突出部の面材１５ｃ上に支持部１６が設置されている。
支持部２１は、床パネル１５の外側突出部の面材１５ｃ上に設置した第一支持桟材２１ａの上に直交して第二支持桟材２１ｂを設置した構成で、その第二支持桟材２１ｂの上に二枚重ねの面材２２が固定されている。この二枚重ねの面材２２は、外張断熱パネル１７の合板１７ｂに固定した桟材２３に載せられていて、外側に向かって徐々に低くなる水勾配が設けられている。
そして、面材２２の上に防水シート２４が貼り付けられて、この防水シート２４の上にバルコニー２の床板２５が敷設されている。
なお、防水シート２４は、面材２２の上に位置する外張断熱パネル１７の合板１７ｂ上端部及び調整材１８の外側面にも貼り付けられている。
【００２５】
床パネル１５の外側突出端は下面側を切り欠いた薄肉形状部１５ｄとなっており、その薄肉形状部１５ｄの先端に設けられた框材１５ｅの外側面に胴差３１が固定されている。
その床パネル１５の外側突出端における薄肉形状部１５ｄ先端の面材１５ｃ及び胴差３１の上に、立ち上がり部３を構成する壁パネル３２が設置されている。
壁パネル３２は、框材３２ａの両側に面材３２ｂが貼り付けられており、下端の框材３２ａが床パネル１５の框材１５ｅ及び胴差３１に固定されて、上端の框材３２ａの上に角材による調整材３３が固定されている。
この調整材３３の上に、笠木４と、その内側の笠木通気部品５が設置されるとともに、笠木４の外側に突出する水切６が設置されている。
なお、前述した防水シート２４は、壁パネル３２の内側の面材３２ｂ及び調整材３３の内側面にも貼り付けられている。
【００２６】
壁パネル３２及びその下の胴差３１の外側にふかし壁パネル３４が設置されている。
ふかし壁パネル３４は、角材による框材３４ａの外側に合板３４ｂを貼り付けたもので、その框材３４ａを、壁パネル３２の面材３２ｂを通して框材３２ａに特殊ビス止めするとともに、胴差３１にも特殊ビス止めすることにより固定されている。
このふかし壁パネル３４の上に角材による調整材３５が固定されている。
なお、壁パネル３２の外側の面材３２ｂに通気孔３２ｃが形成されて、ふかし壁パネル３４の合板３４ｂには、通気孔３２ｃと対向する通気孔３４ｃが形成されており、この通気孔３４ｃに換気スリット部材３６が取り付けられている。
【００２７】
また、床パネル１５の外側突出端における薄肉形状部１５ｄ先端の面材１５ｃ及び胴差３１の下に、垂れ下がり部７を構成する壁パネル７１が設置されている。
壁パネル７１は、框材７１ａの両側に面材７１ｂが貼り付けられており、上端の框材７１ａが床パネル１５の框材１５ｅ及び胴差３１に固定されて、下端の外側に角材による調整材７２が框材７１ａに固定されている。
調整材７２の上に、断熱材７３ａを合板７３ｂの内側面に貼り付けた外張断熱パネル７３が前記特殊ビス止めにより固定されている。
外張断熱パネル７３は、ふかし壁パネル３４の下に連続するもので、合板７３ｂを、壁パネル７１上端の框材７１ａ及びその下の胴差３１にも前記特殊ビス止めにより固定されている。
【００２８】
このように、バルコニー２周囲の立ち上がり部３の上端は、側面視において段状に形成されており、すなわち、壁パネル３２上の調整材３３による第一段部と、その第一段部（調整材３３）よりも外側下方に位置する、壁パネル３２の外側に沿ったふかし壁パネル３４上の調整材３５による第二段部とを備えている。
さらに、ふかし壁パネル３４とその下に連続する外張断熱パネル７３の外側には、外装材８が設置されている。
この外装材８は、下端が胴縁ピース７４を介して胴差３１に固定されるとともに、上端及び中間部が同様の胴縁ピース７４を介して調整材３５及びふかし壁パネル３４の框材３４ａに固定されている。
【００２９】
実施例において、バルコニー２の立ち上がり部３は、図２に示したように三つの出隅部と一つの入隅部を有する平面形状で、その三つの出隅部と一つの入隅部は、各々直交する壁パネル３２の間に調整材３７をそれぞれ介して接続されている。
【００３０】
図３は図２の矢印Ａで示した出隅部の拡大図、図４は図２の矢印Ｂで示した入隅部の拡大図である。
【００３１】
次に、図５は図１の笠木４及び水切６周りの拡大図で、笠木４は、長さ方向に同一断面となる金属製の長尺物で、図示のように、調整材３３上に固定されている。
この笠木４は、上面部４１と、この上面部４１の内側及び外側の端部から下方に垂設される内側片４２と外側片４３を備える。
上面部４１は、側面視において、複数の折曲部を有するように、かつ緩やかに折曲加工された状態となっており、裏面にはフック状の係合部が形成されている。
笠木４は、立ち上がり部３上端をなす調整材３３の上面に、支持部材４５を介して固定されており、すなわち、支持部材４５は、ビス４６によって調整材３３に固定される。
支持部材４５は、フック状の被係合部を備える。したがって、笠木４は、支持部材４５に対して、係合部を被係合部に係合させることにより取り付けられている。
【００３２】
なお、バルコニー２側に位置する内側片４２の下端部には、弾性を有する防水部材４４が設けられており、この防水部材４４は、調整材３３の内側に胴縁ピース３８を介して固定した外装材８の上端外側面に当接している。
また、外側に位置する外側片４３と調整材３３との間には空間が形成されており、この空間に笠木通気部品５が配置されている。
以上の笠木４は、調整材３３の外側面に、先ず、笠木通気部品５をビス５８で取り付けてから、水切６をビス６９で取り付けた後、調整材３３の上面にビス４６で固定される。
【００３３】
ここで、図１においては、調整材３３の内側に突出する水切３９を設けた例を示しており、この場合は、外装材８、防水部材４４は用いない。
【００３４】
図６及び図７は図５の笠木通気部品５を拡大して示す正面側斜視図で、笠木通気部品５は、笠木４の長さ方向に沿って長尺に形成されたものである。
笠木通気部品５は、図示のように、正面板部５１と、この正面板部５１と対向配置された水切壁５３と、正面板部５１上の閉塞部５４とを備える。この笠木通気部品５は、一枚の金属板を適宜折曲加工することによって形成されている。
正面板部５１には、長さ方向に多数の通気孔５２が並設されている。
【００３５】
正面板部５１は、笠木４の外側片４３と対向するとともに、鉛直よりも外側に傾いた状態で配置されて、正面板部５１と笠木外側片４３との間の空間が、上方に向かうにつれて狭まるように形成されている。
水切壁５３は、正面板部５１と対向配置されていることによって、通気孔５２から雨水が浸入した場合に、この水切壁５３によって、雨水が奥に浸入することを防ぐことができる。
【００３６】
閉塞部５４は、弾性部材により形成されて、笠木通気部品５と笠木４の裏面との間に形成される隙間を閉塞するためものである。すなわち、閉塞部５４は、笠木４の取り付け時の押し付けによって、つぶれるように弾性変形するので、笠木４の裏面に対して密接されることになる。これによって、笠木４と笠木通気部品５との隙間からの雨水の浸入を確実に防ぐことができる。
なお、閉塞部５４の弾性部材としては、例えばＥＰＤＭ発泡体等のような弾力性能及び防水性能を有するものが採用されている。
【００３７】
さらに、笠木通気部品５は、固定板部５５と、突出板部５６を備える。
固定板部５５は、胴縁ピース５７を介して調整材３３の外側面にビス５８によって固定される。この固定板部５５の上端部には、正面板部５１側に折曲加工してなる水返し部５５ａが形成されている。このような水返し部５５ａにより、雨水のさらなる浸入を防ぐことができる。
突出板部５６は、固定板部５５の中央部から外側に向かって突出しており、正面板部５１の下端部と一体形成されている。
【００３８】
胴縁ピース５７は、図示のように、固定板部５５の幅方向に点在するように互いに間隔を空けて複数（図示例では三個）配置されている。
なお、胴縁ピース５７は、固定板部５５の下方に突出している。
【００３９】
このように、固定板部５５は、壁パネル３２上の調整材３３に対し、ビス４６により胴縁ピース５７を貫通して打ち込まれることによって固定されるので、ビス４６により固定板部５５と胴縁ピース５７を調整材３３に確実に取り付けることができる。
また、胴縁ピース５７は、固定板部５５の幅方向に点在するようにして配置されるので、隣り合う胴縁ピース５７間を通気口として使用することができる。
【００４０】
また、固定板部５５は、その上端部を正面板部５１側に折曲加工してなる水返し部５５ａを有しており、この水返し部５５ａの角度は空気の流通を阻害しない程度に設定されている。
このような水返し部５５ａによれば、笠木通気部品５内を吹き上がる風に混ざる雨水を捉えることができ、さらに、付着した雨水を下方へと垂らすことができる。これによって、笠木通気部品５内における防水性をより向上できる。
【００４１】
また、突出板部５６は、固定板部５５の中央部から外側に向かって突出し、一端部が固定板部５５と一体形成され、他端部が正面板部５１と一体形成されていて、固定板部５５側から正面板部５１側に向かって下り勾配となっている。すなわち、突出板部５６は、水勾配を形成するようにして正面板部５１と固定板部５５との間に設けられている。
これによって、例えば正面板部５１を越えて浸入してきた雨水が突出板部５６に付着した場合に、壁パネル３２側には流れずに、外側に流れることになるので、笠木通気部品５内部における防水性をより向上できる。
【００４２】
次に、水切６は、図５に示したように、立ち上がり部３上端の外側面で笠木外側片４３より内側に固定される固定部６ａと、この固定部６ａの下方から外側に張り出して形成され、笠木外側片４３より外側に突出して徐々に低くなる傾斜形状の外側突出部６ｂとを有しており、かつ笠木外側片４３から略連続形状をなすように構成されている。
また、水切６は、外側突出部６ｂの中間部から下方へ延出して形成され、立ち上がり部３上端の下方から外側に張り出して笠木外側片４３の下方に位置するふかし壁パネル３４上の第二段部を形成する調整材３５の外側面に固定される下方延出部６ｃを有している。
さらに、水切６は、固定部６ａから外側に張り出して上方に延出して形成され、笠木外側片４３の内側に位置する上方延出部６ｄを有している。
【００４３】
なお、図１と図５では、調整材３５の形状が異なっており、また、図５の胴縁ピース６４は、図１では省略されている。
【００４４】
以上の固定部６ａ、外側突出部６ｂ、下方延出部６ｃ及び上方延出部６ｄを有する水切６は、図８から図１０に示すように、水切本体６１と、その水切接続部６１間の接続部における接続板６２及びカバー板６３から構成される。
【００４５】
図８（ａ）〜（ｃ）は水切本体６１を示すもので、水切本体６１は金属板を折り曲げ加工したもので、図示のように、固定部６１ａ、外側突出部６１ｂ、下方延出部６１ｃ及び上方延出部６１ｄを有している。
【００４６】
具体的には、固定部６１ａから外側に突出して徐々に低くなる傾斜形状の外側突出部６１ｂの先端に下方への膨出部６１ｅが形成されて、この膨出部６１ｅから外側突出部６１ｂの中間にかけて延びた水平部分に下方延出部６１ｃが形成されている。膨出部６１ｅの傾斜下面には多数の水抜き孔６１ｆが形成されている。
上方延出部６１ｄの上端には、外側に折り返した水返し片６１ｇが形成されて、外側突出部６１ｂの接続側端部には、下方に突出する下方突出片６１ｈが形成されている。
固定部６１ａ及び下方延出部６１ｃの両側部には、取付孔６１ｋがそれぞれ形成されている。
【００４７】
また、水切本体６１の壁固定側端部には、図８（ｃ）に示すように、側面部６１ｍ・６１ｎが形成されている。
すなわち、外側突出部６１ｂの端部から下方に突出して、膨出部６１ｅから外側突出部下方延出部６１ｃまで連続する側面部６１ｍが形成されて、固定部６１ａの上端から上方延出部６１ｄまで連続する側面部６１ｎが形成されている。
この側面部６１ｍ・６１ｎが建物１の躯体外壁面に固定される。
【００４８】
そして、下方延出部６１ｃの両側部における内側面に胴縁ピース６４が両面テープで貼り付けられている。この胴縁ピース６４は、下方延出部６１ｃ内側面の上部を除いたその下方に貼り付けられている。
さらに、膨出部６１ｅから下方延出部６１ｃに延びた水平部分の下面に発泡シーリング材６５が両面テープで貼り付けられている。
【００４９】
なお、図８では、建物１の躯体外壁面に固定される水切本体６１を示したが、水切本体６１間の中間に接続される水切本体６１の場合は、両側の接続側端部に下方突出片６１ｈがそれぞれ形成されている。
また、図２から図４に示したような出隅部及び入隅部では、水切本体６１の接続側端部を斜め４５度にカットした形状にして、壁固定側端部と同様の側面部６１ｍ・６１ｎを形成しておき、互いに直角になるように突き合せた側面部６１ｍ・６１ｎを互いにビス止めする。
【００５０】
図９（ａ）及び（ｂ）は水切接続部の接続板６２を示すもので、接続板６２は金属板を折り曲げ加工したもので、図示のように、固定部６２ａ、外側突出部６２ｂ、下方延出部６２ｃ及び上方延出部６２ｄを有しており、下方延出部６２ｃが短い。
また、固定部６２ａから外側に突出して徐々に低くなる傾斜形状の外側突出部６２ｂの先端下面に複数の水抜き孔６２ｆが形成されている。
外側突出部６２ｂの両側部には、上方に突出する上方突出片６２ｈが形成されている。
そして、外側突出部６２ｂの上面中央に発泡シーリング材６６が両面テープで貼り付けられている。
【００５１】
図１０（ａ）及び（ｂ）は水切接続部のカバー板６３を示すもので、カバー板６３は金属板を折り曲げ加工したもので、図示のように、固定部６３ａ、外側突出部６３ｂ、下方延出部６３ｃ及び上方延出部６３ｄを有している。
【００５２】
具体的には、固定部６３ａから外側に突出して徐々に低くなる傾斜形状の外側突出部６３ｂの先端に下方への膨出部６３ｅが形成されて、この膨出部６３ｅから外側突出部６３ｂの中間にかけて延びた水平部分に下方延出部６３ｃが形成されている。膨出部６３ｅには複数の水抜き孔６３ｆが形成されている。
固定部６３ａ及び下方延出部６３ｃの中央には、取付孔６３ｋがそれぞれ形成されている。
【００５３】
図１１及び図１２は図２の水切６における本体接続の仕方を示す斜視図である。
【００５４】
先ず、図１１（ａ）及び図１２（ａ）に示すように、左側の水切本体６１における右端部に接続板６２の左端部を差し込んでおく。
すなわち、水切本体６１に対し内側から接続板６２を差し込んで、外側突出部６１ｂの下方に離間して外側突出部６２ｂを位置させて、下方延出部６１ｃの上部内側面に短い下方延出部６２ｃを重ねる。
同時に、固定部６１ａの内側面に固定部６２ａを重ねるとともに、上方延出部６１ｄの内側面に上方延出部６２ｄを重ねる。
【００５５】
次に、図１１（ｂ）及び図１２（ｂ）に示すように、右側の水切本体６１における左端部に接続板６２の右端部を差し込む。
【００５６】
図１３は水切本体６１間に形成される接続隙間を拡大した縦断面図である。
図示のように、水切本体６１の外側突出部６１ｂにおける接続側端部の下方突出片６１ｈ近傍に沿って上下複数の結合孔６１ｐが形成されて、接続板６２の外側突出部６２ｂにおける上方突出片６２ｈ近傍に沿って複数の結合孔６２ｐが形成されている。
この結合孔６１ｐ・６２ｐに図示しないビスを挿入してそれぞれ締め込むことで、接続板６２を介して左右の水切本体６１を接続固定する。
【００５７】
こうして接続固定した左右の水切本体６１及び接続板６２を、図５に示すように、立ち上がり部３の外側面に固定する。
【００５８】
図１４は水切６の立ち上がり部３外側面に対する固定の仕方を示す分解図である。
【００５９】
すなわち、立ち上がり部３の外側をなすふかし壁パネル３４に固定された外装材８の上端部及びその上の調整材３５の外側面に、図１４に示すように、胴縁ピース６４を介在させて水切６の下方延出部６ｃを重ねて、外側からビス６８を、取付孔６１ｋから固定部６ａ及び胴縁ピース６４に通して調整材３５に締め込む。
そして、立ち上がり部３上端の第一段部を形成する調整材３３の外側面にビス５８で固定された胴縁ピース５７の下部外側面に対し、図１４に示すように、水切６の固定部６ａを、胴縁ピース５７の固定板部５５下端部に位置合わせて重ねて、外側からビス６９を、固定部６ａ及び胴縁ピース５７に通して調整材３３に締め込む。
【００６０】
具体的には、外装材８の上端部及びその上の調整材３５の外側面に対し、水切本体６１の下方延出部６１ｃ内側面の上部を除いたその下方に貼り付けられ胴縁ピース６４を重ねて、外側からビス６８を、取付孔６１ｋから調整材３５にまで締め込む。
このとき、水切本体６１の膨出部６１ｅから下方延出部６１ｃに延びる水平部分の下面に貼り付けられた発泡シーリング材６５が、図５に示したように、外装材８の上端面に接触して圧縮状態となる。
また、胴縁ピース５７の下部外側面に対し、水切本体６１及び接続板６２の固定部６１ａ・６２ａを重ねて、外側からビス６９を、取付孔６１ｋから調整材３３にまで締め込む。
【００６１】
次に、図１１（ｃ）及び図１２（ｃ）に示すように、水切本体６１間の接続隙間にシーリング材６７を充填する。
すなわち、図１３に示すように、左右の水切本体６１における下方突出片６１ｈの間に沿ってシーリング材６７を充填する。
【００６２】
具体的には、図９に示した接続板６２の外側突出部６２ｂ上面中央に貼り付けられた発泡シーリング材６６上にシーリング材６７を充填する。
ここで、発泡シーリング材６６は、ＥＰＤＭ発泡体であり、シーリング材６７のバックアップ材である。
また、シーリング材６７は、いわゆる湿式のシーリング材で不定形のペースト状の材料を充填して使用するものであり、材料はシリコン系樹脂、アクリル系樹脂、ウレタン系樹脂等が適宜選択される。
【００６３】
そして、固定部６２ａの外側面、固定部６２ａから上方延出部６２ｄに延びた水平部分の下面、上方延出部６２ｄの外側面、外側突出部６２ｂの先端から延びた水平部分の下面、及び下方延出部６２ｃの外側面にも、その中央に沿ってシーリング材６７を充填する。
【００６４】
次に、図１１（ｄ）及び図１２（ｄ）に示すように、水切本体６１間の接続隙間を覆うカバー板６３を装着する。
すなわち、左右の水切本体６１間に沿って隙間に充填したシーリング材６７を隠すように、カバー板６３の外側突出部６３ｂを、水切本体６１の外側突出部６１ｂの上面に載せる。
そして、固定部６３ａを固定部６１ａの外側面、下方延出部６３ｃを下方延出部６１ｃの外側面、上方延出部６３ｄを上方延出部６１ｄの外側面にそれぞれ重ねる。
こうして左右の水切本体６１間にカバー板６３を装着する。
【００６５】
次いで、外側からビス６８を、カバー板６３の取付孔６３ｋから調整材３５にまで締め込むとともに、外側からビス６９を、取付孔６３ｋから調整材３３にまで締め込む。
このとき、カバー板６３の膨出部６３ｅから下方延出部６３ｃに延びる水平部分の下面に貼り付けられた発泡シーリング材６５も、外装材８の上端面に接触して圧縮状態となる。
【００６６】
その後、図５に示すように、外装材８の上端面とその上方に位置する水切６の下面との間に、発泡シーリング材６５の外側に沿わせてシーリング材８１を充填する。
ここで、発泡シーリング材６５は、ＥＰＤＭ発泡体であり、シーリング材８１のバックアップ材である。
また、シーリング材８１は、いわゆる湿式のシーリング材で不定形のペースト状の材料を充填して使用するものであり、材料はシリコン系樹脂、アクリル系樹脂、ウレタン系樹脂等が適宜選択される。
【００６７】
なお、図２から図４に示したように、出隅部及び入隅部においては、水切本体６１同士が斜め４５度の端部形状で互いに接続されているが、予め平面視Ｌ型の水切役物を採用してもよい。
【００６８】
以上の構成によるバルコニー２周囲の立ち上がり部３において、図１に示したように、換気経路Ｋは、壁パネル３２の内部から、その外側面材３２ｂの通気孔３２ｃ、ふかし壁パネル３４の内部、その合板３４ｂの通気孔３４ｃ、換気スリット部材３６の換気スリットを通って、外装材８の内側空間から、上方の調整材３５上と水切６下の空間に至る。
そして、換気経路Ｋは、図５に拡大して示したように、胴縁ピース５７間の空間から、笠木４の内部、笠木通気部品５の正面板部５１における通気孔５２を通って、水切６の上方延出部６ｄを乗り越えて笠木４の外側片４３の内側を経て、水切６の外側突出部６ｂ上方の大気に至る。
【００６９】
以上、実施形態のバルコニー２周囲に備えられる立ち上がり部３上端の笠木４よりも外側に突出した水切６によれば、笠木４の外側片４３よりも内側に位置し、立ち上がり部３上端に固定された固定部６ａの下端から外側片４３よりも外側に張り出して形成された外側突出部６ｂを有しているので、立ち上がり部３の壁厚が増した場合でも、市販品の笠木４をそのまま対応できてコストを抑えながら、壁厚が増した分に対応した水切６を設けて、笠木４との外観上の一体感が得られる。
そして、笠木４の上面部４１に落ちた水が外側片４３から下方に流れて、その水を、水切６の外側突出部６ａによって受けることができるので、笠木４から水切６まで連続性のある構造とすることができ、水切構造として効果的に機能する。
【００７０】
しかも、立ち上がり部３上端の上方に位置する調整材による第一段部３３に笠木４を固定して、立ち上がり部３上端の第一段部３３よりも外側下方に位置する調整材による第二段部３５に、水切６の外側突出部６ａから下方に延出して形成された下方延出部６ｃを固定することができる。
【００７１】
そして、水切６の固定部６ａから外側に張り出して上方に延出して形成された上方延出部６ｄが、笠木外側片４３の内側に位置しているので、笠木４内の換気を確保しつつ、笠木４の外側片４３から内側に入る水の浸入を、水切６の上方延出部６ｄにより防止することができる。
【００７２】
さらに、水切６の外側突出部６ｂにおける下方延出部６ｃより外側の下面と、立ち上がり部３のふかし壁パネル３４外側に固定された外装材８の上端面との間に配置された発泡シーリング材６５とその外側に充填されたシーリング材８１によって、水切６下で外装材８の内方への水の浸入を防止できる。
【００７３】
また、水切６は、水切本体６１を互いに隙間を空けて対向する端部に各々挿入される接続板６２を介して接続することができ、さらに、接続された水切本体６１間の接続隙間を、その上に配置されたカバー板６３により覆うことができる。
【００７４】
しかも、水切６の隙間を開けて対向する水切本体６１端部から各々下方に突出してそれぞれ形成された下方突出片６１ｈと、接続板６２の下方突出片６１ｈが位置する上面との間に配置された発泡シーリング材６６とその上に充填されたシーリング材６７によって、水切本体６１間の接続部における水の浸入を防止することができる。
【００７５】
（変形例）
以上の実施形態においては、笠木及び水切を装着する対象をバルコニーの立ち上がり部としたが、本発明はこれに限定されるものではなく、屋上の周囲に設ける立ち上がり部であってもよい。
また、実施形態では、立ち上がり部の上端に形成された側面視段状部を、壁パネル上の調整材による第一段部と、その第一段部よりも外側下方に位置する壁パネル上の調整材による第二段部としたが、厚みが略倍をなす厚肉壁における内側上の調整材による第一段部と、その厚肉壁の外側上面による第二段部であってもよい。
【００７６】
さらに、実施形態では、笠木の上面部の外側端部から下方に垂設された外側片としたが、上面部の途中部分から下方に垂設され、かつ、笠木の外側に位置する外側片であってもよい。
また、水切の形状、すなわち、その固定部、外側突出部、下方延出部及び上方延出部の形状等も任意であり、その他、具体的な細部構造等についても適宜に変更可能であることは勿論である。
【符号の説明】
【００７７】
３  立ち上がり部
３３  第一段部
３５  第二段部
４  笠木
４１  上面部
４３  外側片
６  水切
６ａ  固定部
６ｂ  外側突出部
６ｃ  下方延出部
６ｄ  上方延出部
６１  水切本体
６１ａ  固定部
６１ｂ  外側突出部
６１ｃ  下方延出部
６１ｄ  上方延出部
６１ｈ  下方突出片
６２  接続板
６２ａ  固定部
６２ｂ  外側突出部
６２ｄ  上方延出部
６３  カバー板
６３ａ  固定部
６３ｂ  外側突出部
６３ｃ  下方延出部
６３ｄ  上方延出部
６５  シーリング材
６６  シーリング材
６７  シーリング材
８１  シーリング材
【図１】
2020190116.tif 000003
【図２】
2020190116.tif 000004
【図３】
2020190116.tif 000005
【図４】
2020190116.tif 000006
【図５】
2020190116.tif 000007
【図６】
2020190116.tif 000008
【図７】
2020190116.tif 000009
【図８】
2020190116.tif 000010
【図９】
2020190116.tif 000011
【図１０】
2020190116.tif 000012
【図１１】
2020190116.tif 000013
【図１２】
2020190116.tif 000014
【図１３】
2020190116.tif 000015
【図１４】
2020190116.tif 000016